(57)【要約】【課題】設置の作業性が良好な獣類侵入防止柵を提供する。【解決手段】地面に対して前方に向かって上向きに傾く状態となる柵本体部１と、柵本体部１を傾く状態に支える柵支持部２とを有し、柵本体部１及び柵支持部２は、左右方向に間隔をおいた複数の縦線材４と、前後方向に間隔をおいた複数の横線材５とを格子状に固定した金網３から形成される。金網３は、複数の縦線材４が前後方向途中位置に最高位置となるように屈曲された状態であり、金網３のうち、前後方向途中位置よりも後方側部分が柵本体部１とされ、柵本体部１以外の残余部分が柵支持部３とされる。【選択図】図１
2017042081.tif 000002
【特許請求の範囲】
【請求項１】
地面に対して前方に向かって上向きに傾く状態となる柵本体部（１）と、その柵本体部（１）を前記傾く状態に支える柵支持部（２）とを有し、
前記柵本体部（１）及び前記柵支持部（２）は、左右方向に間隔をおいた複数の縦線材（４）と、前後方向に間隔をおいた複数の横線材（５）とを格子状に固定した金網（３）から形成されるものであり、
前記金網（３）は、前記複数の縦線材（４）が前後方向途中位置において最高位置となるように屈曲された状態であり、前記金網（３）のうち、前記前後方向途中位置よりも後方側部分が前記柵本体部（１）とされ、前記柵本体部（１）以外の残余部分が前記柵支持部（２）とされた獣類侵入防止柵。
【請求項２】
前記柵本体部（１）は、前記金網（３）に対して左右方向に掛け渡され、複数の前記縦線材（４）のうち、一部の複数の縦線材（４）との交点で固定されるアンカー用線材（７）を有し、
前記アンカー用線材（７）は、前記交点の間で切断され、その切断端が地面よりも下方に位置するように折れ曲げられた状態である請求項１に記載の獣類侵入防止柵。
【発明の詳細な説明】
【技術分野】
【０００１】
この発明は、鹿、猪、狸などの獣類が田畑や放牧地などに侵入することを防止する獣類侵入防止柵に関する。
【背景技術】
【０００２】
鹿、猪、狸などの獣類が田畑や放牧地等に侵入して農作物を食い荒らすことを防止するための対策として、その田畑や放牧地等の周囲に獣類侵入防止柵の設置が行われている。
【０００３】
この獣類侵入防止柵として、所定の間隔をあけて複数の支柱を立設し、複数の支柱に渡りネットを保持させるものであって、上記支柱は地中に下端が埋設される基杆と２本補助杆とを備え、その補助杆は基杆に対して傾斜するようにその下端部を地中に埋設するとともに、各補助杆の頂部のそれぞれを基杆の頂部に接続したものが提案されている（例えば、特許文献１参照）。
【０００４】
上記特許文献１に記載された獣類侵入防止柵は、地中に下端が埋設される基杆と、下端部が地中に埋設される２本の補助杆とにより地中に対して３点で支持されることから、支柱の自立性が高められている。
【先行技術文献】
【特許文献】
【０００５】
【特許文献１】特開２０１４−１６６１６２公報
【発明の概要】
【発明が解決しようとする課題】
【０００６】
通常、獣類侵入防止柵は、田畑や放牧地等の周囲に設置する必要があるので、その田畑や放牧地等の面積が広くなるほどにその周囲への設置距離が長くなる。このため、獣類侵入防止柵としては、設置の作業性の良いものが求められている。
【０００７】
しかしながら、特許文献１に記載された獣類侵入防止柵は、まず、所定の間隔をあけて基杆の下端を地面に挿し込んで埋設し、２本の補助杆の下端部を地面に差し込んだ後、各補助杆の頂部のそれぞれを基杆の頂部に接続して支柱を組み立てる必要があった。
【０００８】
さらに、複数の支柱の組み立て後において、複数の支柱に対し、その組み立て箇所の全長にわたってネットを掛け渡し、保持させる作業をさらに行う必要があった。このように設置作業全体として時間がかかることから、設置の作業性の良好な獣類防止柵が求められている。
【０００９】
そこで、この発明の課題は、設置の作業性が良好な獣類侵入防止柵を提供することにある。
【課題を解決するための手段】
【００１０】
前記の課題を解決するために、この発明に係る獣類侵入防止柵は、地面に対して前方に向かって上向きに傾く状態となる柵本体部と、その柵本体部を前記傾く状態に支える柵支持部とを有し、前記柵本体部及び前記柵支持部は、左右方向に間隔をおいた複数の縦線材と、前後方向に間隔をおいた複数の横線材とを格子状に固定した金網から形成されるものであり、前記金網は、前記複数の縦線材が前後方向途中位置において最高位置となるように屈曲された状態であり、前記金網のうち、前記前後方向途中位置よりも後方側部分が前記柵本体部とされ、前記柵本体部以外の残余部分が前記柵支持部とされた構成を採用することができる。
【００１１】
柵本体部及び前記柵支持部は、前後方向途中位置において最高位置となるように屈曲された状態の金網により形成されている。そのような金網を田畑や放牧地等の周囲に並べるのみで、田畑や放牧地等の周囲に容易に獣類侵入防止柵を設置することができる。
【００１２】
また、金網は、前後方向途中位置で揃えて重ねると、大きな保管場所を必要としない。また、設置場所への搬送時、トラックの荷台やコンテナ等により多く積み込むことができ、保管、搬送コストを抑えることができる。
【発明の効果】
【００１３】
以上のように、この発明は、柵本体部及び前記柵支持部を形成する金網を、田畑や放牧地等の周囲に並べるのみで、容易に獣類侵入防止柵を設置することができるので、その設置の作業性が良好なものとなる。
【図面の簡単な説明】
【００１４】
【図１】この発明の第一の実施形態に係る獣類侵入防止柵の斜視図
【図２】（ａ）同上の獣類侵入防止柵の平面図、（ｂ）同上の獣類侵入防止柵の正面図、（ｃ）同上の獣類侵入防止柵の側面図
【図３】同上の獣類侵入防止柵の使用状態を示す側面図
【図４】同上の金網に第一変形例を示す側面図
【図５】同上の金網の第二変形例を示す側面図
【発明を実施するための形態】
【００１５】
以下、この発明の第一の実施形態を添付図面に基づいて説明する。この実施形態に係る獣類侵入防止柵は、田畑や放牧地等の周囲に設置され、図１に示すように、地面に対して前方に向かって上向きに傾く状態となる柵本体部１と、その柵本体部１を傾く状態に支える柵支持部２とを有する。
【００１６】
柵本体部１及び柵支持部２は、剛性を有する金網３から形成されている。金網３は、左右方向に間隔をおいて等ピッチで配置された複数の縦線材４、４・・・と、前後方向に間隔をおいて等ピッチで配置された複数の横線材５、５・・・とを格子状に固定したものである。
【００１７】
ここで、前後方向とは、田畑や放牧地などに向かって侵入する獣類の移動する前後方向を意味し、その侵入する向きを前方と、その反対向きを後方とする。また、左右方向とは、前方を見た状態での左右の方向を意味する。
【００１８】
金網３は、複数の縦線材４が前後方向途中位置Ｔにおいて最高位置となるように屈曲された状態となっている。縦線材４は、図１に示すように、左右方向に１４本配置されており、前後方向途中位置Ｔが最高位置となっている。
【００１９】
それぞれの縦線材４は、後方側端部から前後方向途中位置Ｔに至る傾斜部４ａと、傾斜部４ａの前後方向途中位置Ｔから下方に延びる支持部４ｂとが一体に形成されたものである。横線材５は、金網３全体として７本配置され、それぞれの横線材５は、左端及び右端に位置するそれぞれの縦線材４よりも左右方向に突き出さない状態となっており、必要に応じて、突き出す状態としてもよい。
【００２０】
金網３において、縦線材４及び横線材５の配置される本数は、田畑や放牧地等の広さや、田畑の放牧地の環境に基づいて、適宜設定される。
【００２１】
縦線材４及び横線材５は、剛性を有する線材であり、例えば、ステンレス鋼線材や鉄系の線材、あるいはこれらの線材にクロームメッキまたは亜鉛メッキが施されたものが使用される。また、縦線材４及び横線材５は、その直径３ｍｍから８ｍｍであり、引張強度が５００〜２０００Ｎ／ｍｍ２である。なお、「剛性を有する線材」とは、それ単体で任意形状を自立保持することができるものを意味する。
【００２２】
隣り合う縦線材４の左右方向の間隔Ｗ１は、６〜１０ｃｍに設定され（図２（ａ）参照）、隣り合う横線材５の前後方向の間隔Ｌ１は、５〜１５ｃｍに設定される（図２（ｂ）参照）。間隔Ｗ１またはＬ１は、隣り合う縦線材４と隣り合う横線材５とにより形成される空間に、鹿、猪、狸等の獣類が足を滑らせて、入り込ませることができる間隔であって、実験等により適宜設定される。
【００２３】
複数の縦線材４のそれぞれの傾斜部４ａには、４本の横線材５が前後方向に間隔Ｌ１をおいて掛け渡されている。それぞれの傾斜部４ａの下部にそれぞれの横線材５が位置しており、傾斜部４ａと横線材５とのそれぞれの交点が溶接により固定される。
【００２４】
金網３のうち、交点が固定される複数の傾斜部４ａと複数の横線材５とにより形成される部分、すなわち、前後方向途中位置Ｔよりも後方側部分が柵本体部１とされる。柵本体部１は、複数の傾斜部４ａの後方側端部に横線材５と平行に掛け渡される前後二本の補強用横線材６を有する。
【００２５】
補強用横線材６は、横線材５と同じものが使用され、それぞれの傾斜部４ａの下部に位置している。それぞれの傾斜部４ａと二本の補強用横線材６との交点が溶接により固定される。
【００２６】
柵本体部１は、後方側端部に位置する横線材５と、これと隣り合う横線材５との間において、それぞれの傾斜部４ａに掛け渡されるアンカー用線材７を有する。
【００２７】
アンカー用線材７は、複数の傾斜部４ａの下部に位置し、左端に位置する二本の傾斜部４ａ、右端に位置する二本の傾斜部４ａ、及び中央に位置する二本の傾斜部４ａの計六本の傾斜部４ａとの交点が溶接により固定されている。
【００２８】
アンカー用線材７は、左端と中央の間、及び中央と右端と間の二箇所において切断され、その切断端が地面よりも下方に位置するように、傾斜部４ａとの固定された交点で折り曲げられた状態となっている。
【００２９】
アンカー用線材７は、上述のように、複数の傾斜部４ａのうち、左端、中央及び右端に位置する隣り合う二本の計６本の傾斜部４ａの交点で固定されているが、これに限られず、複数の傾斜部４ａのうち、一部の複数の傾斜部４ａとの交点で固定されていればよい。
【００３０】
また、アンカー用線材７は、一部の複数の傾斜部４ａとの交点で折り曲げられているが、その折り曲げ位置は、切断端が地面よりも下方に位置していれば、特に限定されない。アンカー用線材７が一部の複数の傾斜部４ａとの交点で折り曲げられることで、アンカー用線材７の切断端は、地面に対してさらに下方に位置させることができるので好ましい。
【００３１】
金網３の複数の縦線材４のそれぞれの支持部４ｂには、３本の横線材５が上下方向に上記間隔Ｌ１で掛け渡される（図２（ｃ）参照）。それぞれの支持部４ｂに対して、傾斜部４ａ側に横線材５が位置しており、支持部４ｂと横線材５とのそれぞれの交点が溶接により固定される。
【００３２】
金網３のうち、交点が固定される複数の支持部４ｂと複数の横線材５とにより形成される部分、すなわち、柵本体部１以外の残余部分が柵支持部２とされる。柵支持部２は、複数の支持部４ｂのうち、左右方向両端、及び左右方向両端から左右方向内向きに三本目ごとに配置された支持部４ｂに対して、挿し込み端部４ｃを有する。
【００３３】
挿し込み端部４ｃは、支持部４ｂの下端から下方に延び出した延長部分により構成され、支持部４ｂと一体に形成される。挿し込み端部４ｃは、地面に挿し込まれて柵支持部２の移動を規制することができる長さを有し、例えば、１０〜１５ｃｍに設定される。
【００３４】
なお、図１に示すように、挿し込み端部４ｃは、複数の支持部４ｂのうち、左右方向両端、及び左右方向両端から左右方向内向きに三本ごとに配置された支持部４ｂに対して有している。しかし、これに限定されず、例えば、所定の本数ごとや、両端部にのみ有するようにしてもよい。要は、柵支持部２の移動を規制可能な数を有していればよい。
【００３５】
この実施形態で示す獣類侵入防止柵は上記の構成からなる。柵本体部１及び柵支持部２は、前後方向途中位置Ｔにおいて上向きに屈曲された状態の金網３により形成され、柵本体部１が前方に向かって上向きに傾斜している。このため、鹿、猪、狸などの獣類は、図３に示すように、田畑や放牧地等に侵入しようとすると、足元が柵本体部１の後方端寄りの部分に入り込む状態となる。
【００３６】
ところで、鹿、猪、狸などの獣類は、足元に異物が触れることを嫌う習性を有することが知られている。この実施形態では、獣類の足元が柵本体部１の後方端寄りの部分に入り
込むと、足元に縦線材４の傾斜部４ａまたは横線材５が触れることとなり、上記習性により、獣類の田畑や放牧地等への侵入を効果的に防止することができる。
【００３７】
また、この実施形態で示す獣類侵入防止柵は、田畑や放牧地等の周囲に並べるのみで、田畑や放牧地等の周囲に容易に獣類侵入防止柵を設置することができ、設置作業性が良好なものとなる。
【００３８】
さらに、田畑や放牧地等の周囲に並べ、柵支持部２を地面に押し付けることで、図３に示すように、柵支持部２の複数の挿し込み端部４ｃ及びアンカー用線材７の下端部が地面に差し込まれる。これにより、獣類侵入防止柵は、前後及び左右方向の移動が規制されて、仮に獣類が頭や体で押し付けても、設置箇所がずれることがない。
【００３９】
柵本体部１及び柵支持部２を形成する金網３は、前後方向途中位置Ｔを揃えて同じ向きに重ねると、大きな保管場所を必要としない。また、設置場所への搬送時、トラックの荷台やコンテナ等により多く積み込むことができ、保管、搬送コストを抑えることができる。
【００４０】
また、この実施形態では、アンカー用線材７は、切断されており、その切断端が傾斜部４ａに対して固定された交点で下向きに折り曲げられた状態となっている。例えば、アンカー用線材７は、切断せずに田畑や放牧地等の設置現場への搬送後、切断し折り曲げられた状態とすることができる。
【００４１】
この場合、保管時、設置現場への搬送時において、よりコンパクトに金網３を重ね合わせることができる。
【００４２】
なお、図１では、柵支持部２は、柵本体部１に対して前後方向途中位置Ｔから上下方向に配置されているが、図４に示すように、柵支持部２は、柵本体部１に対して前後方向途中位置Ｔから前方に向かって下向きに傾斜した状態とすることもできる。
【００４３】
また、図５に示すように、複数の縦線材４を前後方向途中位置Ｔにおいて、左右方向から見た場合、上向きに湾曲するように屈曲させた状態としてもよい。図４、５に示す態様では、獣類侵入防止柵は、図１に示す態様と比較して、前後方向の距離が長くなり、獣類が飛び越え難くなる。
【符号の説明】
【００４４】
１  柵本体部
２  柵支持部
３  金網
４  縦線材
４ａ  傾斜部
４ｂ  支持部
４ｃ  挿し込み端部
５  横線材
６  補強用横線材
７  アンカー用線材
Ｔ  前後方向途中位置
Ｌ１、Ｗ１  間隔
【図１】
2017042081.tif 000003
【図２】
2017042081.tif 000004
【図３】
2017042081.tif 000005
【図４】
2017042081.tif 000006
【図５】
2017042081.tif 000007